(57)【要約】【課題】本発明はスピーカに関し、スピーカにおいてさらなる高調波歪みの低減を目的とする。【解決手段】スピーカを構成するボイスコイル体２の外周部分に支持部１２を設け、この支持部１２及びボイスコイル体２に対してサスペンションホルダ６の内周端部を接着し、振動板３の内周端部をサスペンションホルダ６及びボイスコイル体２に接着するにあたり、サスペンションホルダ６の内周径をボイスコイル体２の外周径より大きくし、かつ、振動板３の内周径をサスペンションホルダ６の内周径より大きく設定した。【選択図】図１
2006173870.tif 000002
【特許請求の範囲】
【請求項１】
フレームと、このフレームに支持された磁気回路と、この磁気回路に設けられた磁気ギャップに対して摺動可能に配置されたボイスコイル体と、外周端部が前記フレームに第１のエッジを介して接続され内周端部が前記ボイスコイル体に接続された振動板と、外周端部が第２のエッジを介して前記フレームに接続され内周端部が前記ボイスコイル体および前記振動板に接続されたサスペンションホルダとを備え、前記ボイスコイル体の外周部分に外方に突出する支持部を設け、この支持部および前記ボイスコイル体に対して前記サスペンションホルダの内周端部を接着し、前記振動板の内周端部を前記サスペンションホルダおよび前記ボイスコイル体に接着するにあたり、前記サスペンションホルダの内周径を前記ボイスコイル体の外周径より大きくし、かつ、前記振動板の内周径を前記サスペンションホルダの内周径より大きくしたことを特徴とするスピーカ。
【発明の詳細な説明】
【技術分野】
【０００１】
本発明は、スピーカに関するものである。
【背景技術】
【０００２】
従来のスピーカは図３に示されるように、磁気回路１に摺動可能に配置されたボイスコイル体２を振動板３の内周端に接続し、振動板３の外周端をエッジ４を介してフレーム５に接続し、さらにこの振動板３の裏面をサスペンションホルダ６とエッジ７を介してフレーム５に接続した構造であり、エッジ４，７による対称性によってスピーカにおける高調波歪みの低減とパワーリニアリティを向上させていた。
【０００３】
なお、この出願の発明に関する先行技術文献情報としては、例えば、特許文献１が知られている。
【特許文献１】特開２００４−７３３２号公報
【発明の開示】
【発明が解決しようとする課題】
【０００４】
しかしながら、このようなスピーカにおいては振動板３の内周端部をボイスコイル体２の外周側面に当接させて位置決めした状態でそれらを接着固定するため、この当接により生じる応力が振動板の外周端部に設けられたエッジ４の撓み状態に影響を及ぼしてしまい、エッジ４，７による初期の対称性が得にくく、スピーカの高調波歪みを完全に押さえ込むことが困難なものとなっていた。
【０００５】
そこで、本発明はこのような問題を解決し、スピーカにおいてさらなる高調波歪みの低減を目的とする。
【課題を解決するための手段】
【０００６】
そして、この目的を達成するために本発明は、スピーカを形成するボイスコイル体の外周部分に外方に突出する支持部を設け、この支持部および前記ボイスコイル体に対して前記サスペンションホルダの内周端部を接着し、振動板の内周端部をサスペンションホルダおよびボイスコイル体に接着するにあたり、サスペンションホルダの内周径をボイスコイル体の外周径より大きく設定するとともに、振動板の内周径を前記サスペンションホルダの内周径より大きく設定した構成としたものである。
【発明の効果】
【０００７】
このような構成とすることで、振動板およびサスペンションホルダをボイスコイル体に接続固定する際、サスペンションホルダの内周端部分が支持部上に載置された状態で位置決めされるので、この位置決めによる応力の方向がエッジ側を向かずエッジ４の撓み状態に影響を与えにくくなり、結果としてスピーカにおける高調波歪みを低減できるのである。
【発明を実施するための最良の形態】
【０００８】
以下、本発明の一実施形態について図を用いて説明する。なお、背景技術として上述した構成と同様の構成については同じ符号を付して説明する。
【０００９】
図１は本発明のスピーカを示す断面図であり、アルミダイキャストからなるフレーム５の底部中央に配置された磁気回路１は、マグネット８、プレート９、ヨーク１０を組み合わせて接着することにより形成され、ヨーク１０の側壁部分１０ａの内周側面とマグネット８およびプレート９の外周側面により磁気回路１における上面側に向けて開口した磁気ギャップ１１が形成されている。
【００１０】
また、ボイスコイル体２は筒状の本体の外周部にコイル２ａが巻き付けられた構造であり、磁気ギャップ１１に対して上下方向に摺動可能に配置されたもので、ボイスコイル体２の上部外周部分に接続された振動板３を振動させる構造となっている。なお、ボイスコイル体２の上端部分には防塵対策としてのダストキャップ２ｂが設けられている。
【００１１】
振動板３はその外周端部分がエッジ４を介してフレーム５の開口端部分に接続され、内周端部分がボイスコイル体２に支持されている。
【００１２】
サスペンションホルダ６は、外周端部がエッジ７を介してフレーム５の底面側に接続され、他端側が振動板３の内周端部の裏面に接着により一体化された構造となっている。なお、サスペンションホルダ６の内周端部分にはボイスコイル体２の外周側面に沿うように下方に曲げられたネック６ａが設けられ、このネック６ａ部分でボイスコイル体２に接続固定した構造となっている。
【００１３】
そして、フレーム５に接続されたエッジ４とエッジ７により囲まれた領域の内部に、ボイスコイル体２を摺動させる力点となるボイスコイル体２と振動板３およびサスペンションホルダ６の接続点を存在させることで、振動板３とサスペンションホルダ６及びボイスコイル体２が一つの剛体と見なされるようになり、ボイスコイル体２のローリングを抑制でき、振動板３に生じる高調波成分を減衰させる構造としている。
【００１４】
また、このスピーカにおいては図２に示されるように、ボイスコイル体２の外周部分に外方に突出する支持部１２を設け、支持部１２およびボイスコイル体２の外周側面部分にサスペンションホルダ６を接着固定するとともに、振動板３の内周端部をサスペンションホルダ６の上面部分とボイスコイル体２の外周側面部分に接着固定する構造とし、さらに、サスペンションホルダ６の内周径１３をボイスコイル体２の外周径１４より大きく設定し、かつ、振動板３の内周径１５をサスペンションホルダ６の内周径１３より大きく設定した構成としている。
【００１５】
この構成によれば、ボイスコイル体２に対して振動板３およびサスペンションホルダ６を位置決めする際、振動板３およびサスペンションホルダ６の内周径１３がボイスコイル体２の接続部分における外周径１４より大きくなるため、サスペンションホルダ６および振動板３の内周端部分がボイスコイル体２の外周側面に当接することなく支持部１２上に載置された状態で位置決めされるので、従来の課題として挙げていた位置決めによる応力によるエッジ４の撓み状態への影響を抑制でき、結果としてスピーカにおける高調波歪みを低減できるのである。
【００１６】
また、このような構造においてボイスコイル体２にサスペンションホルダ６および振動板３を接着固定する場合、先ず磁気回路１に対してボイスコイル体２をジグ固定により位置決めし、この状態でエッジ７をフレーム５に接着固定されたサスペンションホルダ６のネック６ａをボイスコイル体２の支持部１２の上面に載置してサスペンションホルダ６をボイスコイル体２に位置決めした状態とし、ネック６ａを支持部１２の上面及びボイスコイル体２の外周側面に接着固定する。次にエッジ４をフレーム５に接着固定された振動板３の内周端部分をサスペンションホルダ６の上面及びボイスコイル体２の外周側面に接着固定するのである。
【００１７】
ここで、支持部１２とネック６ａとの接着およびサスペンションホルダ６と振動板３との接着は、支持部１２とネック６ａとを接着する接着剤１６をサスペンションホルダ６の上面にも回り込むよう塗布し、このサスペンションホルダ６の上面に回り込んだ接着剤１６を用いて振動板３をサスペンションホルダ６の上方から当接させてこれらを一体化するため、この接着剤１６が多めに塗布された場合、余分な接着剤１６がボイスコイル体２の外周側面と近接するネック６ａの上方部分、つまりサスペンションホルダ６の内周端部分に溜まりやすくなり、この部分に余分な接着剤１６が溜まった状態で振動板３を上方から当接させた場合、振動板３の内周端側がこの余分な接着剤１６により浮いてしまい、この浮きにより振動板３の音響特性に悪影響を及ぼしてしまうため、振動板３の内周径１５をサスペンションホルダ６の内周径１３より大きくし、先に述べた余分な接着剤１６による振動板３の内周端の浮きを抑制することが重要となるのである。
【００１８】
なお、ボイスコイル体２に支持部１２を設けたことによりサスペンションホルダ６との接着固定における接着剤１６を塗布した際、支持部１２がボイスコイル体２とネック６ａとの隙間から塗布した接着剤１６がコイル側へ垂れることを抑制する関として機能するため、この接着剤１６の塗布作業による組み立て不良を抑制できスピーカの生産性を高めた構造となっている。
【産業上の利用可能性】
【００１９】
本発明は、高調波歪みの低減を必要とするスピーカに有効であり、特に車載用などの大入力スピーカに有用である。
【図面の簡単な説明】
【００２０】
【図１】本発明の一実施形態におけるスピーカの断面図
【図２】同スピーカにおける支持部近傍の詳細図
【図３】従来のスピーカの断面図
【符号の説明】
【００２１】
１  磁気回路
２  ボイスコイル体
３  振動板
４，７  エッジ
５  フレーム
６  サスペンションホルダ
１１  磁気ギャップ
１２  支持部
【図１】
2006173870.tif 000003
【図２】
2006173870.tif 000004
【図３】
2006173870.tif 000005